(57)【特許請求の範囲】
【請求項１】
ハウジング（１）と、
前記ハウジング（１）内で上げ下げ可能なシールストリップ（２，３）と、
建物部分の閉鎖時に前記シールストリップ（２，３）を自動的に下げるばね荷重式下降機構（８）と、を有する建物部分用のドロップダウンシールであって、
前記下降機構（８）はスライド部（４，６）に連結され、このスライド部が前記ハウジング（１）を一端で越えて突出し、前記建物部分の閉鎖時に前記下降機構（８）を作動させるドロップダウンシールにおいて、
前記下降機構（８）は、少なくとも一つの板ばねを有し、前記少なくとも一つの板ばねは、前記スライド部（４，６）に第１の留め付け位置（８０）で連結され、前記少なくとも一つの板ばねは、前記シールストリップ（２，３）に第２の留め付け位置（８１）で連結され、前記少なくとも一つの板ばねは、前記ハウジング（１）に第３の留め付け位置（８２）で留め付けられ、
前記第３の留め付け位置（８２）は、前記第１の留め付け位置（８０）より、前記スライド部（４，６）の突出する端部の近くに配置され、
アーム（７）が、前記スライド部（４，６）の突出する端部に連動するように連結され、前記アーム（７）は、前記ハウジング（１）を越えて側方に突出し、
前記建物部分が閉鎖されたときに、前記アーム（７）がスライド部（４，６）を引張り、それによって、前記スライド部（４，６）が前記下降機構（８）に引張を加える
ことを特徴とするドロップダウンシール。
【請求項２】
前記スライド部が力伝達ロッド（６）を有し、前記力伝達ロッドは、前記ハウジング（１）内でハウジングの長手方向に延びる、請求項１記載のドロップダウンシール。
【請求項３】
前記下降機構（８）が、その第１の留め付け位置（８０）で前記力伝達ロッド（６）に留め付けられる、請求項２記載のドロップダウンシール。
【請求項４】
前記下降機構（８）が、その第３の留め付け位置（８２）で、前記ハウジング（１）に対し旋回可能なように保持される、請求項１記載のドロップダウンシール。
【請求項５】
前記アーム（７）は、前記スライド部（４，６）に配置され、少なくとも、前記シールストリップ（２，３）の長手方向に垂直に延びる、請求項１〜４のいずれかに記載のドロップダウンシール。
【請求項６】
前記アーム（７）が、前記シールストリップ（２，３）の下げ方向に垂直に延びる、請求項５に記載のドロップダウンシール。
【請求項７】
前記アーム（７）が前記スライド部（４，６）に取り外し可能に固定される、請求項５又は６記載のドロップダウンシール。
【請求項８】
前記アーム（７）が、前記建物部分の位置固定された又は可動の近隣構成要素（Ｂ）に当接するための止め面を形成する、請求項１〜７のいずれかに記載のドロップダウンシール。
【請求項９】
請求項１〜８のいずれかに記載のドロップダウンシール（Ｄ１、Ｄ２、Ｄ３）を備える建物部分であって、前記建物部分は少なくとも１つの可動パネル（Ｔ１、Ｔ２、Ｔ３）を有し、前記可動パネルが建物開口部を閉鎖し、前記可動パネルの中又は上に前記ドロップダウンシール（Ｄ１、Ｄ２、Ｄ３）が配置される建物部分において、
前記建物部分が、前記可動パネル（Ｔ１、Ｔ２、Ｔ３）に隣接する構成要素（Ｔ１、Ｔ２、Ｔ３、Ｒ、Ａ）を有し、この構成要素が、前記下降機構（８）上に前記スライド部（４，６）の引張を引き起こすことを特徴とする建物部分。
【請求項１０】
請求項１〜８のいずれかに記載のドロップダウンシール（Ｄ１、Ｄ２、Ｄ３）を備える、請求項９に記載の建物部分であって、前記隣接する構成要素（Ｔ１、Ｔ２、Ｔ３、Ｒ、Ａ）が前記アーム（７）用の止め面（Ｂ、Ｃ）を有し、前記止め面が、少なくとも、前記シールストリップ（２，３）の長手方向にほぼ垂直に延びる建物部分。
【請求項１１】
前記構成要素の少なくとも１つが第２の可動パネル（Ｔ１、Ｔ２、Ｔ３）である、請求項１０記載の建物部分。
【請求項１２】
スライド式ドア、複数の可動ドアパネルを有するスライド式ドアシステム、スライド式窓、複数の可動窓パネルを有するスライド式窓システム、又は、一つ又は複数の可動壁パネルを有する間仕切り壁である、請求項９〜１１のいずれかに記載の建物部分。
【発明の詳細な説明】
【技術分野】
【０００１】
本発明は、請求項１のプリアンブルに記載のドロップダウンシール、及び、請求項１２のプリアンブルに記載の建物部分に関する。
【背景技術】
【０００２】
ドア用のドロップダウンシールはよく知られている。これらは、光の透過を防ぎ、防音を提供し、実施形態に応じて、空気循環を抑えることもできる。下降可能なドアシールは、通常、実質的に、下方へ開いたＵ字のプロファイルレールの形をしたハウジングと、このハウジング内に保持されハウジングに対して移動可能であり、シール要素を有するシールストリップと、シールストリップの上げ下げのための駆動機構とからなる。このシールストリップは、通常、ドアの閉鎖時に、作動棒か又はスライド部に長手方向に圧縮力が働いて機械的な下降機構を作動させることによって自動的に下降する。この種のドアシールは、例えば特許文献１〜３から公知である。
【０００３】
例えば特許文献３及び４には、片側で作動される十分に試された下降機構が記載されている。この下降機構は相前後して配置した１以上の板ばねを用いる。各板ばねは、ハウジングを越えて突出するスライド部の端部に隣接する第１の端部にて、スライド部そのものに留め付けられる。各板ばねはさらに、その中央領域にてシールストリップに留め付けられ、スライド部の突出する端部とは反対側のその端部にてハウジングに留め付けられる。これにより、ドアの閉鎖時にスライド部にかかる圧力を板ばねに伝達し、板ばねが曲がってシールストリップを下げる。
【０００４】
特許文献５及び６もまた、圧縮力を介して下降機構を作動させる。
【０００５】
特許文献７は、圧縮力を介して作動されるドロップダウンシールを記載する。この圧縮力は、レバー機構により引張力に変えられ、この引張力が同様に下降機構に働く。
【０００６】
特許文献８及び９は、圧縮力により作動されるドロップダウンシールを開示し、これは、引張力により、ドアが開いているときでも動かすことができる。
【０００７】
しかしながら、マルチパーツのスライド式ドア、スライド式窓及び間仕切り壁に対して、実現可能なシールの解決策は知られていない。
【先行技術文献】
【特許文献】
【０００８】
【特許文献１】ＥＰ  ０  ３３８  ９７４
【特許文献２】ＤＥ  ２９９  １６  ０９０
【特許文献３】ＥＰ  ０  ５０９  ９６１
【特許文献４】ＣＨ  ６８８  ７４１
【特許文献５】ＥＰ  ０  ０３７  １３１
【特許文献６】ＤＥ  ２０  ２０１１  ００１  １０４  Ｕ
【特許文献７】ＡＵ  ２００７  ２３７  １９２
【特許文献８】ＤＥ  ２９７  ２０  ９７８  Ｕ
【特許文献９】ＤＥ  ２６  ５７  ２７９
【発明の概要】
【課題を解決するための手段】
【０００９】
従って、本発明の目的は、マルチパーツのスライド式ドア、マルチパーツのスライド式窓及び間仕切り壁にも使用可能なドロップダウンシールを提供することである。
【００１０】
この目的は、請求項１の特徴を備えるドロップダウンシールによって達成される。
【００１１】
本発明のさらなる目的は、ドロップダウンシールを有する建物部分、特にマルチパーツのスライド式ドア、マルチパーツのスライド式窓及び間仕切り壁を提供することである。
【００１２】
この目的は、請求項１２の特徴を備える建物部分により達成される。
【００１３】
建物部分のための本発明によるドロップダウンシールは、ハウジングと、該ハウジング内で上げ下げ可能なシールストリップと、ばね荷重式の下降機構とを有する。前記下降機構は、建物部分の閉鎖時、シールストリップを自動的に下降させる。前記下降機構はスライド部に接続され、スライド部は、好ましくはハウジングの長手方向に、ハウジングを一端で越えて突出する。スライド部は、建物部分の閉鎖時、下降機構を作動させる。スライド部は、下降機構に引張を加える。下降機構は、スライド部による引張力で作動される。
【００１４】
スライド部を作動するために、好ましくは、ハウジングを越えて側方に突出し、少なくともシールストリップの長手方向にほぼ垂直に延びるアームがある。該アームは、スライド部に動作可能に連結されるか、又はスライド部に連結されるか、又はスライド部上に配置される。
【００１５】
この機械式ドロップダウンシールは、特にシングルパーツ及びマルチパーツの移動可能な建物部分に用いることができる。前記ドロップダウンシールは圧縮によるのではなく引張によって作動されるので、公知の自動の機械式ドロップダウンシールを用いたのとは全く異なる建物解決策を実現できる。
【００１６】
引張によって作動されるにもかかわらず、シール部は、有利にも、圧縮によって作動される公知のシール部より高く又は幅広く設計される必要がない。特に、該シール部は、ＣＨ  ６８８  ７４１又はＥＰ  ０  ３３８  ９７４に記載のシール部より大きく設計される必要がない。
【００１７】
下降機構は、好ましくは、公知の機構と同じである。これはばね荷重式であり、従って、外力が取り除かれると、自動的に、シール部を再び持ち上げる。好ましくは、レバー及び／又は曲げばね（Ｂｉｅｇｅｆｅｄｅｒ）を備えた三角形の配置を有し、この三角形の配置が、対応する配置によって、ハウジングに対するシールストリップの相対運動を可能にする。好ましい実施形態では、下降機構は、第１の留め付け位置でスライド部に接続され、第２の留め付け位置でシールストリップに接続され、第３の留め付け位置でハウジングに留め付けられる。好ましい実施形態では、第３の留め付け位置は、第１の留め付け位置よりスライド部の突出する端部の近くに配置される。
【００１８】
１つの好ましい実施形態では、下降機構は、少なくとも1つのばね、特に板ばねを有する。下降機構のタイプに応じて、例えば、渦巻きばねを用いることもできる。ばね、とりわけ板ばねは、上述の留め付け位置の少なくとも１つに留め付けられる。このばねが一部品として形成されていれば、その端部の１つ目が、第１の留め付け位置に留めつけられるか又は配置され、その中央領域が第２の留め付け位置に留めつけられるか又は配置され、その２つ目の端部が第３の留め付け位置に留めつけられるか又は配置される。ばね、特に板ばねは、多部品構造であってもよく、例えば、２つの部分からなり、２つの部分のそれぞれの一端が第２の中央の留め付け位置に留めつけられる。
【００１９】
スライド部は好ましくは力伝達ロッドを有し、これは、ハウジング内でハウジングの長手方向に延びる。この作動ロッドは、好ましくは、シールストリップのほぼ全長にわたって延びる。これは、好ましくは、ばね、特に板ばねがハウジングの長手方向に広がるのと同程度まで延びる。好ましくは、スライド部は、ハウジングを越えて突出する作動ロッドをさらに備え、これは、力伝達ロッドに固定して連結される。
【００２０】
前記少なくとも1つのばね、特に板ばねは、好ましくは、その第１の留め付け位置で力伝達ロッドに留めつけられる。力伝達ロッドは、好ましくは平らなロッドであり、従って、これは、シール部内部で比較的小さな空間を必要とし、シール部は比較的低い全高を有する。
【００２１】
前記少なくとも1つのばね、特に板ばねは、好ましくは、ハウジングに対し旋回可能となるように、その第３の留め付け位置で保持される。これにより、シールストリップを、シールストリップの長手方向にほぼ垂直に延びるように下げることができる。
【００２２】
外部引張力をスライド部に伝達するために、好ましい実施形態では、スライド部又はスライド部の作動ロッド上にアームを配置し、このアームはハウジングを越えて突出し、少なくともシールストリップの長手方向にほぼ垂直に延びる。好ましくは、前記アームはまた、少なくともシールストリップの下降方向にほぼ垂直に延びる。アームは、好ましくは、スライド部に取り外し可能に固定される。前記アームは、好ましくは、建物部分の、位置固定された又は可動の隣接する構成要素に当接するための止め面を形成する。
【００２３】
フラッグのように突出するアームを用いることにより、ＣＨ  ６８８  ７４１に記載の十分に試された下降機構を用いることができるが、スライド部は引っ張られるのであって押されるのではない。このためには、スライド部の突出部分に対するばね、特に板ばねの配置を変えるだけでよく、つまりは、スライド部が、本発明によるシール部においては、ＣＨ  ６８８  ７４１の場合とは反対側のハウジングの端部で突出する。従って、公知のシール部を、特にマルチパーツのスライドシステムにおける、多数の新たな建物部分に対し、あまりにも大幅な構造的変更なしに用いることができる。しかしながら、本発明は、公知のドロップダウンシールのこのような変更に限定されることなく、引張によって作動可能な他の変更された公知の下降機構又は新規の下降機構にも及ぶ。
【００２４】
本発明による建物部分は、本発明によるこのようなドロップダウンシールを有し、前記建物部分は少なくとも1つの可動パネルを有し、このパネルは建物開口部を閉じ、パネルの中か又はパネル上にドロップダウンシールが配置される。本発明によると、建物部分は、可動パネルに隣接する構成要素を有し、これが、下降機構にスライド部の引張を引き起こす。
【００２５】
隣接する構成要素は、好ましくは、アームのための止め面を有し、この止め面は、少なくともシールストリップの長手方向にほぼ垂直に延びる。
【００２６】
構成要素の少なくも１つは、好ましくは第２の可動パネルである。
【００２７】
スライド部への引張は、ドアの閉鎖方向後ろ側にあるスライド部の端部で起こってもよい。あるいは、別の実施形態において、引張は、ドアの閉鎖方向前方のスライド部の端部で起こってもよい。
好ましい実施形態では、建物部分がシングルパーツのスライド式ドア、マルチパーツのスライド式ドアシステム、シングルパーツのスライド式窓、マルチパーツのスライド式窓システム、又はシングルパーツの、又はマルチパーツの間仕切り壁である。
【００２８】
さらなる実施形態は、従属請求項に記載する。
【図面の簡単な説明】
【００２９】
【図１】図１は、シール部が上がっている部分的に開いた状態での、マルチパーツのスライド式ドア又は間仕切り壁又はスライド式ドアの概略図である。
【図２】図２は、シール部が下がっている閉鎖状態での、図１のスライド式ドア又は間仕切り壁を示す。
【図３】図３は、本発明のドロップダウンシールの斜視図であって、個々の部分の詳細が左半分にだけ示されている。
【図４】図４は、板ばねの第１の留め付け位置の領域における、図３のドロップダウンシールの斜視図である。
【図５】図５は、板ばねの第２の留め付け位置の領域における、図３のドロップダウンシールの斜視図である。
【図６】図６は、板ばねの第３の留め付け位置の領域における、図３のドロップダウンシールの斜視図である。
【図７】図７は、ハウジングを越えて突出するスライド部及びアームの領域における、図３のドロップダウンシールの斜視図である。
【図８】図８は、シールストリップが上がった状態での、図３のドロップダウンシールの領域の長手方向断面図である。
【図９】図９は、図８のドロップダウンシールの断面斜視図である。
【図１０】図１０は、シールストリップが下がった状態での、図３のドロップダウンシールの領域の長手方向断面図である。
【図１１】図１１は、図１０のドロップダウンシールの断面斜視図である。
【図１２】図１２は、第２の実施形態における、シール部が上がっている部分的に開いた状態での、マルチパーツのスライド式ドア又は間仕切り壁又はスライド式ドアの概略図である。
【発明を実施するための形態】
【００３０】
本発明の好ましい実施形態を、図を参照して以下に説明するが、これらは単に説明のためのものであって、限定するものとして解釈されるべきではない。
【００３１】
図１及び２は、好ましい使用での本発明によるドロップダウンシールを示す。しかしながら、この種の使用に限定されるものではない。
【００３２】
図１及び２は、マルチパーツの間仕切り壁又はマルチパーツのスライド式ドアの形をした建物部分を示す。床又は天井に埋め込まれた関連のあるガイドレールは図示しない。間仕切り壁又はスライド式ドアシステムは、複数のパネルＴ１、Ｔ２、Ｔ３を有し、これらは並んで配置され、互いに対し移動可能である。このタイプのスライド機構はよく知られている。図では、３パーツパネルシステムが示されている。しかしながら、本発明のシール部は、１つ、２つ、４つ又はそれより多いパネルを備えたシステムで用いることもできる。
【００３３】
さらに、建物部分は、少なくとも１つの前方フレームＲと後方フレームＡを有し、この間にパネルＴ１、Ｔ２、Ｔ３が保持される。後方フレームは、好ましくは、ポケット部又はステーション部の一部であり、使用しないときにはパネルがこの中に格納される。このポケット部も同様に図に見られる。第１のパネルＴ１は、開けた状態で最前にあり、好ましくはロック機構を有し、これによって、前方フレームＲに固定することができる。このロック機構は好ましくはドアロックである。
【００３４】
各パネルＴ１、Ｔ２、Ｔ３には、ドロップダウンシールＤ１、Ｄ２、Ｄ３が配置される。これらドロップダウンシールは、好ましくは、パネルの対応する溝にはめこまれている。しかしながら、これらを端面に固定することもできるし、パネルの側方に配置することもできる。この例では、シール部Ｄ１、Ｄ２、Ｄ３は、パネルＴ１の少なくとも１つの端面に、好ましくは両方の端面に、それぞれ角ブラケット（Ｂｅｆｅｓｔｉｎｇｕｎｇｓｗｉｎｋｅｌ）５を用いて固定される。
【００３５】
作動棒又は作動ボタン４が、ドロップダウンシールＤ１、Ｄ２、Ｄ３をそれぞれ一端で越えて突出する。この例では、第１のパネルＴ１の最前の第１のドロップダウンシールＤ１は、前方、即ち閉鎖方向に突出する作動棒４を有する。続くパネルＴ２、Ｔ３のドロップダウンシールＤ２、Ｄ３の作動棒４は後方、即ち閉鎖方向と反対方向に突出する。前記後方に突出する作動棒４上に側方に突出するアーム７が配置されるか、又は前記アーム７がこの作動棒と交差する。アームは作動棒４と一体的に形成されてよい。しかしながら、アームは、好ましくは、作動棒にはめられるか、別の方法で作動棒に固定される。アーム７は、それぞれ閉鎖方向後続のパネルＴ３の方へ、又は、後方フレームＡの方へと延びる。
【００３６】
パネルＴ１、Ｔ２、Ｔ３は、少なくとも下部領域、即ち前記ドロップダウンシールＤ１、Ｄ２、Ｄ３の領域において、角のある（ｗｉｎｋｌｉｇ）構造をしている。パネルは、好ましくは、図１及び２に示すように、Ｌ字形の断面を有する。
【００３７】
この例では、最前の第１のパネルＴ１は、建物開口部の閉鎖時最初に動かされるが、他のパネルＴ２、Ｔ３とは異なって構成される。そのドロップダウンシールＤ１もまた、残りのドロップダウンシールＤ２、Ｄ３と同一には構成されていない。
【００３８】
第１のパネルＴ１には、公知のタイプの自動の機械式ドロップダウンシールが配置され、このドロップダウンシールは、パネルＴ１が前方フレームＲ上にあるとき、押すことにより片側で作動させることを介して動かされる。これは、シール部のハウジングを越えて突出し、下降機構に連結される作動棒４により起こる。
【００３９】
残りのパネルＴ２、Ｔ３は、少なくともそのシール部の領域においてＬ字形の断面を有する。こうして生じる突出する角は、各パネルＴ２、Ｔ３の前方端部に配置される。つまり、前記角は、建物開口部の閉鎖時、対応するパネルＴ２、Ｔ３の移動方向前方にある。後方フレームＡは、閉鎖方向前方の領域に類似の角を有する。
【００４０】
パネルＴ１、Ｔ２、Ｔ３及び後方フレームＡのこれらの角は、アーム７用の止め面として働き、閉鎖操作時、それぞれ先に行くパネルＴ２のドロップダウンシールを作動させる。これは、図２において容易に分かる。従って、ドロップダウンシールは、アーム７が角Ｂにあることによって作動棒４がシール部のハウジングからさらに引っ張られることにより、引張によって作動される。この結果、シール部の下降機構が作動され、シールストリップが下がる。これについては以下でさらに詳しく説明する。
【００４１】
建物部分を開ける際、アーム７は、角Ｂ又は後方フレームＡから再び解放され、作動棒４にかかる引張力が取り除かれる。その結果、作動棒４は再び、ばね荷重がかかってシール部のハウジング内へと引き込まれ、下降機構が再びシールストリップを持ち上げる。これは図１に容易に見られる。
【００４２】
第１のパネルＴ１に続く第２のパネルＴ２の角は、第１のパネルＴ１が他のパネルと同じドロップダウンシールを持っている場合、すなわち、引張によって作動される場合、この機能を担うことができる。しかしながら、この例では、第１のドロップダウンシールＤ１は圧縮によって公知の方法で作動されるので、第２のパネルＴ２の角は同じ機能をもたない。しかしながら、前記角は、好ましくは、少なくとも美的理由のために存在し、その結果、間仕切り壁又はスライド式ドアシステムは統一された外観を有する。
【００４３】
第１のパネルＴ１も同様に、突出する角を有する。しかしながら、この角はパネルＴ１の後方の、即ち前方フレームＲとは反対側の端部に配置される。この角もまた、シール部を下げる際、何の機能も担わないが、同様に、美的理由のために存在する。
【００４４】
相互作用するパネルＴ１、Ｔ２、Ｔ３の角は、隣接する角と組み合わさったアームと同様に、好ましくは、ドアの閉鎖時、駆動部及び止め部としても働く。しかしながら、建物部分のスライド機構の構成に応じて、この機能はなくてもよい。
【００４５】
ドロップダウンシールがパネルの下側端部に取り付けられる場合、パネルは角なしで形成することもでき、この場合、シール部の露出しているハウジング上に、対応する角を形成し、これが隣接するシール部のアームのための伝達機構として働く。後方フレームＡだけが同様に、最後のシール部のアームのための対応する止め部を有することになる。
【００４６】
このタイプのドロップダウンシールの好ましい実施形態を、図３〜１１に示す。しかしながら、本発明の概念は、このような下降機構又はシールストリップに限定されない。
【００４７】
図３は、ハウジング１と、ハウジングに対して上げ下げ可能なシールストリップ２，３とを備えた、本発明によるドロップダウンシールを示す。ハウジング１は、下方に開く構造のＵ字形プロファイルレールである。このプロファイルレールは、好ましくは、アルミニウムからなる。これは、好ましくは、パネルの、従ってシール部のほぼ全長にわたって延びる。シール部の内部がよく見えるように、図３では一部が描かれていない。シールストリップ２，３も、同様に全長にわたって延びるが、部分的にのみ図示する。ハウジング１は、例えば角ブラケット５によってパネルに固定できる。
【００４８】
シールストリップは、担持プロファイルレール（Ｔｒａｅｇｅｒｐｒｏｆｉｌｓｃｈｉｅｎｅ）３と、その上に配置されるシール要素２とを備える。担持プロファイルレール３は、好ましくは同様にアルミニウムから製造される。シール要素２は、弾性材料からなり、シールストリップが下がった状態において、建物の床上に密着してのる。シール要素は、好ましくは、シリコーン、ゴム、又は天然ゴムから製造される。これは一体型か、又は多部品型の構造であってもよい。好ましくは、側方に、シールウィング又は突出部を有する。
【００４９】
シールストリップ２，３を上げ下げするための下降機構は、ハウジング１内に配置される。該下降機構は、建物部分の閉鎖時に作動され、シールストリップを下げる。建物部分を開けるとき、該下降機構は、好ましくはばね荷重がかかって、自動的にシールストリップを再び持ち上げる。この例示の実施形態において、下降機構は、少なくとも１つ、好ましくは２つ又はそれより多い曲げばね又は板ばね８を有する。複数の板ばねがある場合、これらは、互いから間をおいてシール部の長手方向に相前後して配置される。
【００５０】
Ｕ字形のハウジング１の上部領域、即ち、その上部ウェブに隣接して、力伝達ロッド６が延びる。この力伝達ロッドは、好ましくは、平らなロッドとして形成され、ハウジング１の対応する溝内に保持される。力伝達ロッド６は、ハウジング１に対し、ハウジングの長手方向に移動可能である。ハウジング１は、好ましくはその平行な脚部（Ｓｈｅｎｋｅｌ）の内側に突き出る段部を有し、この上にロッド６がのる。
【００５１】
少なくとも１つの板ばね８は、３つ場所にてシール部に留め付けられる。板ばね８の第１の端部は、第１の留め付け位置で力伝達棒６に留め付けられる。この留め付けは動かない。これは図４に容易に見られる。板ばね８の中央領域は、シールストリップ、より正確には担持プロファイルレール３に留め付けられる。この留め付けは好ましくは位置固定され、即ち、板ばねは留め付け位置内でシール部の長手方向に移動できない。これを図５に示す。板ばね８は、その第２の端部で、ハウジング１に固定される。この固定は旋回しており、即ち、板ばね８はハウジング１に対し旋回できる。これは図６に容易に見られる。場合によって存在するさらなる板ばねも同様に留め付けられる。
【００５２】
この力伝達ロッド６の後方端部に作動棒４が配置される。ロッド６と棒４は一緒に形成して１つの部品にすることもできる。しかしながら、棒４は好ましくは、ロッド６に固定され、例えば溶接される。棒４は、好ましくは、ねじ付棒として形成されるため、その長さを任意に調節することができる。この棒４は、シール部のハウジング１を片側で越えて延びる。このねじのために、棒４の超過長さを建物の場所的な実状に適合させることができ、それゆえ、シール部を現場で最適に調整できる。
【００５３】
作動棒４の突出する端部にアーム７を固定する。該アームはまた、棒４と１つの部品として形成することもできる。しかしながら、アームは、好ましくは、はめこみ、ねじ止め又は別の方法で固定される。アーム７は、少なくとも、棒４から及びシール部の長手方向からほぼ垂直に突出する。これは図７から容易に分かる。アームは、好ましくは、また、シール部の長手方向の面から、従ってパネル面から垂直に突出する。アーム７は、好ましくはほぼ直方体状のブロックである。これは、好ましくは、プラスチック又は金属、特にアルミニウムから製造される。アーム７と棒４との間の連結は、好ましくは動かず固く、その結果、シール部に向くアーム７の側面に働く力が作動棒４に伝達可能であり、これに固定して連結される力伝達棒６に、引張力として、作動棒４によって伝達される。
【００５４】
図８及び９は、持ち上がった状態でのシール部を図示する。アーム７には何ら力が働かず、作動棒４はハウジング１をわずかにだけ越えて突出する。これに対し、図１０と１１では、アーム７に力が働く。その結果、作動棒４はハウジング１からさらに外側に引っ張られ、力伝達棒６を一緒に引っ張る。少なくとも１つの板ばね８の３つの留め付け位置により、板ばねが曲げられ、シールストリップを下げる。
【００５５】
図１２は、ドロップダウンシールを備えるマルチパーツスライド式ドアの、本発明による第２の例示の実施形態を示す。ドロップダウンシールは、図３〜１１のものに対応するが、対応しなくてもよい。
【００５６】
図１及び２の例示の実施形態とは対照的に、この場合アーム７は、スライド式ドアの閉鎖方向前方にある作動棒４の端部に配置されるか、又は前記アームは前記作動棒の前端に作用する。この場合、アーム７は、第１の例示の実施形態と比較して、逆方向に向く。パネルＴ１、Ｔ２、Ｔ３自体は、第１の例示の実施形態と同一に形成され、すなわち、これらはドア板を形成する長い脚部と短い脚部とを備えるＬ字形の断面を有する。短い脚部は、スライド式ドアの閉鎖時に後に続くパネルＴ２、Ｔ３の方へ向く。
【００５７】
しかしながら、今度は、前方止め部Ｃ、即ち、短い脚部の閉鎖方向前方の表面が、スライド式ドアを閉じるとき、アームの後方面と接触し、さらに閉じるとアームを一緒に動かす。その結果、アーム７に連結される、又は動作可能に連結される作動棒４がハウジングレール１から外に引っ張られ、シール部が下げられる。
【００５８】
言うまでもないが、閉鎖時、他のパネルＴ２、Ｔ３に先行する第１のパネルＴ１の第１のシール部Ｄ１の下降機構は、残りのシール部Ｄ２、Ｄ３に対して反映されて（ｇｅｓｐｉｅｇｅｌｔ）形成される。つまり、第１のシール部Ｄ１は圧縮によって作動される。第１のシール部Ｄ１の作動棒４が前方フレームＲにある場合、作動棒４は押し込まれシール部が再び下げられる。
【００５９】
図１２の第２の実施形態は、第１の実施形態に勝る利点を有し、ドアが開けられる又は部分的に開けられると、アーム７に自由にアクセスできる。これにより、組み立て時のシール部の調整がより容易になり、また、個々のパーツ、とりわけアームの、場合によっては起こりうる交換が楽になる。
【００６０】
反対に、図１及び２に記載の第１の実施形態には、ドアを開けたときも閉じたときにもアーム７が見えず、スライドドアの外観を損ねないという利点がある。
【００６１】
両方の例示の実施形態において、スライドドアを開ける際、それぞれの止め面Ｂ，Ｃとアーム７の間、又はフレームと作動棒４の間のそれぞれの接触がなくなるとすぐに、シール部の全てが持ち上がる。
【００６２】
本発明のドロップダウンシールは、引張による片側での作動を可能とし、シール部がスペースを取らずに形成される。
【符号の説明】
【００６３】
１      ハウジングレール
２      シール要素
３      担持プロファイルレール
４      作動棒
５      角ブラケット
６      力伝達ロッド
７      アーム
８      板ばね
８０    第１の留め付け位置
８１    第２の留め付け位置
８２    第３の留め付け位置
Ｄ１    第１のドロップダウンシール
Ｄ２    第２のドロップダウンシール
Ｄ３    第３のドロップダウンシール
Ｔ１    第１のパネル
Ｔ２    第２のパネル
Ｔ３    第３のパネル
Ｒ      前方フレーム
Ａ      後方フレーム
Ｂ      後方側止め部
Ｃ      前方止め部
【図１】
0006408466.tif 000002
【図２】
0006408466.tif 000003
【図３】
0006408466.tif 000004
【図４】
0006408466.tif 000005
【図５】
0006408466.tif 000006
【図６】
0006408466.tif 000007
【図７】
0006408466.tif 000008
【図８】
0006408466.tif 000009
【図９】
0006408466.tif 000010
【図１０】
0006408466.tif 000011
【図１１】
0006408466.tif 000012
【図１２】
0006408466.tif 000013